(57)【要約】      （修正有）【課題】ノート型パソコンなどの電子桟器に用いられ，放熱効率を高めたバッテリーパックを提供する。【解決手段】操作部を備えた本体部１ａと、当該本体部に開閉自在に取り付けられた表示部１ｂとを備えた電子機器に接続されて用いられるバッテリーパック１０であって、連結部を介して表示部１ｂの背面側に隣接して配置される。この方式のバッテリーパックは外気に触れる面積が多くなり，場合によっては、ヒートシンクを取付けることにより，放熱効果を高めることができる。【選択図】  図４
2004221036.tif 000002
【特許請求の範囲】
【請求項１】
操作部を備えた本体部と、当該本体部に開閉自在に取り付けられた表示部とを備えた電子機器に接続されて用いられるバッテリーパックであって、
連結部を介して表示部の背面側に隣接して配置されることを特徴とするバッテリーパック。
【請求項２】
前記連結部がヒンジ機構を有することを特徴とする請求項１記載のバッテリーパック。
【請求項３】
ヒートシンクを有することを特徴とする請求項１記載のバッテリーパック。
【請求項４】
筐体の上部および下部に通風のための開口部を有することを特徴とする請求項１記載のバッテリーパック。
【請求項５】
本体部と繋ぐアーム部を有し、当該アーム部により支えられていることを特徴とする請求項１記載のバッテリーパック。
【発明の詳細な説明】
【０００１】
【発明の属する技術分野】
本発明は、バッテリーパックに関する。詳しくは、ノート型パソコンなどの電子機器に用いられるバッテリーパックであって、放熱効果を高めたバッテリーパックに関する。
【０００２】
【従来の技術】
図１２に、従来のノート型パソコン１００におけるバッテリーパック１０１の装着方法の一例を示す。バッテリーパック１０１は、ノート型パソコン１００の底面部にコネクタ１０２を介して装着固定されている。
【０００３】
バッテリーパック内に収納されているバッテリーは充電／放電時に発熱し、また、制御回路を載せた電気基板からも発熱する。また、ノート型パソコン本体に内蔵されたＣＰＵをはじめとした電気部品からも発熱し、その熱が筐体を伝わりバッテリーパックを加熱する。このため、バッテリーパックの放熱を十分に行うことができず、バッテリーに悪影響を及ぼすおそれがある。
【０００４】
【発明が解決しようとする課題】
しかしながら、従来の形態では、バッテリーパックが水平に置かれること、さらに上部にノート型パソコンがあることで放熱に不利な状態である。
【０００５】
また、パソコン本体の下部にバッテリーパックを配する場合、バッテリーパックの有無で、キーボードの高さ位置が変わってしまい、作業姿勢を一定にすることができないという問題がある。
【０００６】
特許文献１には、液晶パネルの背面部にポリマーバッテリーを配した技術が開示されている。しかしこれは液晶パネルの背面部の空間を有効利用しようとしたものであり、上述したような放熱の問題は解決できない。
【０００７】
本発明は、このような従来の実情に鑑みて提案されたものであり、放熱効率を高めた、ノート型パソコン用バッテリーパックを提供することを目的とする。
【０００８】
【特許文献１】
特開２００１−８３８９６号公報
【０００９】
【課題を解決するための手段】
本発明のバッテリーパックは、操作部を備えた本体部と、当該本体部に開閉自在に取り付けられた表示部とを備えた電子機器に接続されて用いられるバッテリーパックであって、連結部を介して表示部の背面側に隣接して配置されることを特徴とする。
【００１０】
上述したような本発明に係るバッテリーパックでは、ノー型パソコンの表示部の背面側に配されているので、バッテリーパックの露出面積が増大し、放熱効率が向上する。
【００１１】
【発明の実施の形態】
以下、本発明を適用したノート型パソコン用バッテリーパックの実施の形態について、図面を参照しながら説明する。
【００１２】
まず、本発明のバッテリーパックが取り付けられて用いられるノート型パソコンについて説明する。図１に示すように、このノート型パソコン１は、基本的には、操作部であるキーボード２を一体的に備え、中央演算装置（ＣＰＵ）やメモリ、ハードディスクドライブ等のコンピュータ機能部品を内蔵した本体部１ａと、この本体部１ａに対して開閉自在に取り付けられる表示部１ｂとから構成される。
【００１３】
ここで、表示部１ｂは、表示素子として液晶パネル３を備え、コンピュータから出力される文字や画像を目視可能な状態に表示する。
【００１４】
液晶パネル３は、例えば、それぞれ対向面に電極を有する２枚のガラス基板を対向させ周囲をシール剤で接着固定することで形成される液晶セルに液晶材料を注入し、液晶注入口を封止剤で封止することにより構成されるもので、２枚のガラス基板間には、これら基板間の距離を一定に保つためのスペーサ粒子が散在されている。また、各ガラス基板には、必要に応じてラビングなどによる配向処理が施されている。
【００１５】
この液晶パネル３の表示方式としては、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＧＨ（Ｇｕｅｓｔ  Ｈｏｓｔ）型、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型、ＦＬＣ（強誘電性液晶）型等、任意の方式を採用することが可能である。
【００１６】
駆動方式としても、単純マトリクス駆動方式や薄膜トランジスタ（ＴＦＴ）によるアクティブマトリクス駆動方式等、任意の方式を採用することが可能である。単純マトリクス駆動方式の場合には、２枚の基板に互いに直交する帯状電極を設ける。アクティブマトリクス駆動方式の場合には、アクティブ素子、例えばアモルファスシリコンを半導体層とした薄膜トランジスタ（ＴＦＴ）と、それに接続された画素電極、信号線電極、ゲート電極が形成されたアクティブマトリクス基板と、それに対向配設された対向電極を有する対向基板との間に液晶材料を挟み込んだ構成とする。
【００１７】
上記液晶パネル３の背面側には、これと接してバックライト機構が設けられており、液晶パネル３の背面側からの透過光により、例えば屋外の使用等においても十分な明るさを確保するような構造になっている。
【００１８】
バックライト機構は、通常、光を照射する光源と、光源からの光を散乱し均一化するための拡散板とを備えている。
【００１９】
そして本発明のバッテリーパック１０は、図４に示すように、このようなノート型パソコン１の、表示部１ｂの背面側に隣接して、連結部を介して配置される。
【００２０】
ここで、バッテリーパック１０について説明する。このバッテリーパック１０は、図２及び図３に示すように、筐体１１内に複数（ここでは８個）のポリマーバッテリー１２が収納されてなる。
【００２１】
それぞれのポリマーバッテリー１２の正極及び負極からは端子が導出されており、これらはリード線１３によって回路基板１４に電気的に接続されている。この回路基板１４には、例えばポリマーバッテリー１２の正極及び負極が電気的に接続される接続部や、ポリマーバッテリー１２を過充放電等から保護する保護回路が構成される回路部等が設けられている。
【００２２】
回路基板１４は、さらに、フレキシブルケーブル１５によってコネクタ１６と電気的に接続されている。このコネクタは、複数の外部接続端子を有し、ノート型パソコン１側に設けられたコネクタ４と組み合わせられることにより、ノート型パソコン１と電力や情報の授受が行われる。
【００２３】
次に、上記ポリマーバッテリー１２について説明する。
【００２４】
ポリマーバッテリー１２は、非水電解質電池（いわゆるリチウムイオン二次電池）であり、例えば完全固体電解質電池、固体電解質電池、またはゲル状電解質電池である。具体的には、正極活物質層と負極活物質層との間に固体電解質、またはゲル状電解質を配設してなる電池素子をラミネートフィルムよりなる外装材に収容し、周囲を熱溶着することにより封入されてなるものである。
【００２５】
上記電池素子には、電池素子を構成する負極と電気的に接続される負極端子リード、及び正極と電気的に接続される正極端子リードが設けられており、これら負極端子リード、正極端子リードは、外装材の外部へと引き出されるとともに、リード線によってバッテリーパックの回路基板に電気的に接続される。
【００２６】
これら負極端子リード、正極端子リードは、正負極のそれぞれの集電体に接合されており、その材質としては、正極端子リードは高電位で溶解しないもの、例えばアルミニウム、チタン、あるいはこれらの合金等が挙げられる。負極端子リードには、銅、ニッケル、またはこれらの合金を用いることができる。
【００２７】
一方、上記電池素子であるが、固体電解質としては溶媒を一切含まない完全固体電解質を用いることができる。
【００２８】
溶媒を含まない完全固体電解質としては、イオン伝導性高分子を用いた高分子固体電解質、さらにはイオン伝導性セラミクス、或いはイオン伝導性ガラスを用いた無機固体電解質等を用いることができる。
【００２９】
例えば高分子固体電解質を形成するには、ポリエチレンオキサイドに代表されるようなエーテル結合を有する高分子マトリクス中に電解質を相溶させた高分子複合体を使用することができる。このとき、電解質としては、やはり通常の電池電解液に用いられる電解質を使用することができ、ＬｉＰＦ６、ＬｉＢＦ４、ＬｉＡｓＦ６、ＬｉＣｌＯ４、ＬｉＣＦ３ＳＯ３、ＬｉＮ（ＳＯ２ＣＦ３）２、ＬｉＣ（ＳＯ２ＣＦ３）３、ＬｉＡｌＣｌ４、ＬｉＳｉＦ６等のリチウム塩を使用することができる。
【００３０】
高分子マトリクスとしては、上述したポリエチレンオキシドのような直鎖状の高分子だけでなく、側鎖構造を有した櫛型高分子、あるいは主鎖にシロキサン構造、ポリフォスファゼン構造等の無機高分子構造を有したもの等も使用することができるが、勿論、これらに限られるものではない。
【００３１】
あるいは、通常の固体電解質電池、ゲル状電解質電池とすることも可能である。例えば固体電解質電池、またはゲル状電解質電池を考えた場合、高分子固体電解質に使用する高分子材料としては、シリコンゲル、アクリルゲル、アクリロニトリルゲル、ポリフォスファゼン変成ポリマー、ポリエチレンオキサイド、ポリプロピレンオキサイド、及びこれらの複合ポリマーや架橋ポリマー、変成ポリマー等、もしくはフッ素系ポリマーとして、例えばポリ（ビニリデンフルオロライド）やポリ（ビニリデンフルオロライド−ｃｏ−ヘキサフルオロプロピレン）、ポリ（ビニリデンフルオロライド−ｃｏ−テトラフルオロエチレン）、ポリ（ビニリデンフルオロライド−ｃｏ−トリフルオロエチレン）等およびこれらの混合物が各種使用できるが、勿論、これらに限定されるものではない。
【００３２】
正極活物質層または負極活物質層に積層されている固体電解質、またはゲル状電解質は、高分子化合物と電解質塩と溶媒、（ゲル電解質の場合は、さらに可塑剤）からなる溶液を正極活物質層または負極活物質層に含浸させ、溶媒を除去し固体化したものである。正極活物質層または負極活物質層に積層された固体
電解質、またはゲル状電解質は、その一部が正極活物質層または負極活物質層に含浸されて固体化されている。架橋系の場合は、その後、光または熱で架橋して固体化される。
【００３３】
ゲル状電解質は、リチウム塩を含む可塑剤と２重量％以上〜３０重量％以下のマトリクス高分子からなる。このとき、エステル類、エーテル類、炭酸エステル類等を単独または可塑剤の一成分として用いることができる。
【００３４】
ゲル状電解質を調整するにあたり、このような炭酸エステル類をゲル化するマトリクス高分子としては、ゲル状電解質を構成するのに使用されている種々の高分子が利用できるが、酸化還元安定性から、例えばポリ（ビニリデンフルオロライド）やポリ（ビニリデンフルオロライド−ｃｏ−ヘキサフルオロプロピレン）等のフッ素系高分子を用いることが望ましい。
【００３５】
高分子固体電解質は、リチウム塩とそれを溶解する高分子化合物からなり、高分子化合物としては、ポリ（エチレンオキサイド）や同架橋体等のエーテル系高分子、ポリ（メタクリレート）エステル系、アクリレート系、ポリ（ビニリデンフルオロライド）やポリ（ビニリデンフルオロライド−ｃｏ−ヘキサフルオロプロピレン）等のフッ素系高分子等を単独、または混合して用いることができるが、酸化還元安定性から、例えばポリ（ビニリデンフルオロライド）やポリ（ビニリデンフルオロライド−ｃｏ−ヘキサフルオロプロピレン）等のフッ素系高分子を用いることが望ましい。
【００３６】
このようなゲル状電解質または高分子固体電解質に含有させるリチウム塩として通常の電池電解液に用いられるリチウム塩を使用することができ、リチウム化合物（塩）としては、例えば以下のものが挙げられるが、これらに限定されるものではない。
【００３７】
例えば、塩化リチウム臭化リチウム、ヨウ化リチウム、塩素酸リチウム、過塩素酸リチウム、臭素酸リチウム、ヨウ素酸リチウム、硝酸リチウム、テトラフルオロほう酸リチウム、ヘキサフルオロリン酸リチウム、酢酸リチウム、ビス（トリフルオロメタンスルフォニル）イミドリチウム、ＬｉＡｓＦ６、ＬｉＣＦ３ＳＯ３、ＬｉＣ（ＳＯ２ＣＦ３）３、ＬｉＡｌＣｌ４、ＬｉＳｉＦ６等を挙げることがで
きる。
【００３８】
これらリチウム化合物は単独で用いても複数を混合して用いても良いが、これらの中でＬｉＰＦ６、ＬｉＢＦ４が酸化安定性の点から望ましい。
【００３９】
リチウム塩を溶解する濃度として、ゲル状電解質なら、可塑剤中に０．１〜３．０モルで実施できるが、好ましくは０．５から２．０モル／リットルで用いることができる。
【００４０】
ポリマーバッテリー１２の負極材料としては、リチウムをドープ、脱ドープできる材料を使用することができる。例えば、難黒鉛化炭素系材料や黒鉛系材料の炭素材料を使用することができる。より具体的には、熱分解炭素類、コークス類（ピッチコークス、ニードルコークス、石油コークス）、黒鉛類、ガラス状炭素類、有機高分子化合物焼成体（フェノール樹脂、フラン樹脂等を適当な温度で焼成し炭素化したもの）、炭素繊維、活性炭等の炭素材料を使用することができる。このほか、リチウムをドープ、脱ドープできる材料としては、ポリアセチレン、ポリピロール等の高分子やＳｎＯ２等の酸化物を使用することもできる。このような材料から負極を形成するに際しては、公知の結着剤等を添加することができる。
【００４１】
正極は、目的とする電池の種類に応じて、金属酸化物、金属硫化物または特定の高分子を正極活物質として用いて構成することができる。例えばリチウムイオン電池を構成する場合、正極活物質としては、ＬｉｘＭＯ２（式中Ｍは一種以上の遷移金属を表し、ｘは電池の充放電状態によって異なり、通常０．０５以上１．１０以下である。）を主体とするリチウム複合酸化物等を使用することができる。このリチウム複合酸化物を構成する遷移金属Ｍとしては、Ｃｏ，Ｎｉ，Ｍｎ等が好ましい。このようなリチウム複合酸化物の具体例としてはＬｉＣｏＯ２，ＬｉＮｉＯ２，ＬｉＮｉｙＣｏ１−ｙＯ２（式中、０＜ｙ＜１である。）、ＬｉＭｎ２Ｏ４等を挙げることができる。これらリチウム複合酸化物は、高電圧を発生でき、エネルギー密度的に的に優れた正極活物質となる。また、正極活物質にはＴｉＳ２、ＭｏＳ２、ＮｂＳｅ２，Ｖ２Ｏ５等のリチウムを含有しない金属硫化物あるいは酸化物も用いることができる。正極には、これらの正極活物質の複数種を併せて使用してもよい。また、以上のような正極活物質を使用して正極を形成するに際して、公知の導電剤や結着剤等を添加することができる。
【００４２】
そして、以上のような構成を有するバッテリーパック１０を、図４に示すようにノート型パソコン１の表示部１ｂの背面側に取り付ける。
【００４３】
ノート型パソコンの表示部１ｂの背面側の端部には、バッテリーパック１０を取り付けるためのコネクタ４が設けられている。このコネクタ４は、バッテリーパック１０側のコネクタ１６と組み合わせられることにより、ノート型パソコン１とバッテリーパック１０との間で電力や情報の授受が可能になる。
【００４４】
ノート型パソコン１側及びバッテリーパック１０側の連結部の部分を拡大して図３に示す。バッテリーパック１０の連結部には、例えばヒンジ機構が設けられている。これによりバッテリーパック１０を表示部１ｂに自由な角度をもって取り付けることができる。
【００４５】
バッテリーパック１０において、コネクタ１６は、コネクタ支持部材１７に固定支持されており、コネクタ支持部材１７は、ヒンジアセンブリ１８に回動可能に支持されている。そしてヒンジアセンブリ１８は、バッテリーパック１０の筐体１１にネジ１９にて固定されている。これにより、コネクタ１６は、バッテリーパック１０の筐体１１に対して回動可能な状態となる。
【００４６】
そして、バッテリーパック１０をノート型パソコン１に取り付けるには、コネクタ支持部材１７およびノート型パソコン１側に形成された取り付け用穴２０ａ，２０ｂにビス２１を通し固定する。これにより図４に示すように、バッテリーパック１０がノート型パソコン１の表示部１ｂの背面に取り付けられる。このとき、コネクタ１６はバッテリーパック１０に対して回動可能な状態となされているので、バッテリーパック１０は、ノート型パソコン１に対して所望の角度をもって固定可能となる。
【００４７】
図５は、バッテリーパック１０をノート型パソコン１に対して折りたたんだ状態を示す。バッテリーパック１０は、ノート型パソコン１に積み重なった形状でコンパクトに納まっており、持ち運び、移動に邪魔にならない。この状態では、ノート型パソコン１の電源は切れているか、あるいはスリープモードの状態が想定できる。スリープモードでは消費電力は少なく、バッテリーの放電もわずかなので発熱量は少ないため、放熱には問題ない。
【００４８】
図６は、ノート型パソコン１において表示部１ｂを本体部１ａに対して開いた使用状態を示す。このとき、バッテリーパック１０は表示部１ｂに沿って配されており、ノート型パソコン１の底面に対して垂直に近い角度をもっている。このように、バッテリーパック１０を表示部１ｂの背面側に配することで、バッテリーパック１０をノート型パソコン１の底面に配した場合と比較して、バッテリーパック１０の露出面積が大きくなる。このため、放熱を効果的に行うことができる。
【００４９】
図７は、表示部１ｂとバッテリーパック１０とを所定の角度をもって設置した例を示す。このようにバッテリーパック１０を表示部１ｂに対して角度をもたせることで、バッテリーパック１０と表示部１ｂの間には空間２２が存在することになり、バッテリーパック１０の放熱効果をさらに向上させることができる。また、このようにバッテリーパック１０を配することで、ノート型パソコン１、特に本体部１ａからの熱がバッテリーパック１０に伝わることがなくなるため、バッテリーパック１０の放熱を妨げることがない。
【００５０】
また、図７に示すように、バッテリーパック１０の、ノート型パソコン１と連結している側とは反対の端面１０ａを接地させてもよい。これにより、バッテリーパック１０は、ノート型パソコン１を支えるスタンドとなり、パソコンの作業姿勢が保持され安定してパソコンの操作を行うことができる。
【００５１】
さらに、図８に示すように、バッテリーパック１０は、その側面部に支持アーム２３を有していることが好ましい。この支持アーム２３をノート型パソコン１に取り付けることで、表示部１ｂとバッテリーパック１０との間の角度を固定することができ、パソコンの作業姿勢をより安定に保持することができる。
【００５２】
このように、本発明では、バッテリーパック１０を、ノート型パソコン１の表示部１ｂの背面側に取り付けているので、本体部１ａの底面に配していた従来と比較してバッテリーパック１０の露出面積がはるかに増大する。これにより、バッテリーパック１０の放熱を効果的に行うことができ、ポリマーバッテリー１０の過熱による悪影響を防ぐことができる。
【００５３】
さらに、本体部１ａの底面にバッテリーパックを配すると、バッテリーパック１０の有無によりキーボード３の高さ位置が変わってしまい、作業姿勢が安定しなかったが、本発明のように表示部１ｂの背面側に取り付けることで、バッテリーパック１０の有無に関係なくキーボード３の高さ位置は同じであるため、作業姿勢を一定にすることができ、操作性が妨げられない。
【００５４】
また、バッテリーパック１０を表示部１ｂの背面側に取り付けることで、バッテリーパックが１０本体部１ａの底部を占有しないため、ドッキング・ベイなどの拡張機器を利用することが可能になる。
【００５５】
さらに、バッテリーパック１０には、冷却手段が配されていることが好ましい。これにより放熱効率がさらに優れたものとなる。
【００５６】
この冷却手段としては、例えば図９に示すように、バッテリーパック１０の筐体１１の上部と下部にそれぞれ通風のための開口部２４，２５を設けたものが挙げられる。バッテリーパック１０は、使用状態では垂直に近い状態になるため、いわゆる煙突効果により空気の対流効果を放熱に有効に利用することができる。すなわち、下部の開口部２４から空気がバッテリーパック１０の筐体１１内に流入し、筐体１１内を通り抜けて上部の開口部２５から放出され冷却効果を発揮する。この空気の流入・放出は、筐体内の発熱部で生じる自然対流により行われ、バッテリーパック１０が垂直に近い角度のため効果が高い。
【００５７】
さらに、必要に応じて、バッテリーパック１０の筐体１１内にファンを設け、強制的に通風をしてもよい。これにより冷却をより効果的に行うことができる。
【００５８】
また、図１０は、放熱のためのヒートシンク２６を、バッテリーパック１０の外面に露出させた形態にしたものである。バッテリーパック１０内部の発熱部から伝熱されたヒートシンク２６が筐体１１外部の空気に触れることにより放熱する。この場合も、熱せられたヒートシンク２６が自然対流を起こし、バッテリーパック１０の垂直に近い角度と相まって高い放熱効果が得られる。
【００５９】
なお、上述した実施の形態では、バッテリーパック１０の上部に形成されたヒンジ機構及びコネクタを介してノート型パソコン１に取り付けた場合を例に挙げて説明したが、本発明はこれに限定されない。
【００６０】
例えば図１１に示すバッテリーパック３０は、バッテリーパック本体３１と、枠部材３２とを備える。バッテリーパック本体３１と枠部材３２とは、例えばヒンジ機構により所望の角度をとることが可能となされている。
【００６１】
このようなバッテリーパック３０をノート型パソコン１に取り付けるには、この枠型部材３２をノート型パソコン１の表示部１ｂの外形にはめ込み、側面部で固定することで、バッテリーパック３０は、ノート型パソコン１の表示部１ｂに取り付けられる。
【００６２】
枠型部材３２には、バッテリーパック本体３１と電気的に接続されたＤＣ電源ケーブル３３が接続されており、このＤＣ電源ケーブル３３を、表示部１ｂ側面の両側に配されたコネクタ３４に差し込むことにより、ノート型パソコン１とバッテリーパック１０との間で電力や情報の授受が可能になる。
【００６３】
また、バッテリーパック３０の内部にＡＣアダプタの回路を組み込んでもよい。これにより、バッテリーパック３０にＡＣ電源ケーブル３５を接続することで、バッテリーパック３０およびノート型パソコン１の充電も行うことができる。
【００６４】
なお、本発明のバッテリーパックにおいては、その内部に収納されている個々のバッテリーは、上述したようなポリマーバッテリーに限定されず、液系電池とすることや、円筒型電池等、種々の構成、形状することも可能である。
【００６５】
その他にも、本発明は、上述した例に限定されず、発明の趣旨を逸脱しない範囲で、適宜変更が可能である。
【００６６】
【発明の効果】
本発明では、ノート型パソコンの液晶パネルの背面側にバッテリーパックを装着することで、バッテリーパックが外気に触れる面積が多くなり、放熱効果を高めることができる。これにより信頼性の高いバッテリーパックとなる。
【図面の簡単な説明】
【図１】本発明のバッテリーパックが用いられるノート型パソコンの一構成例を示す斜視図である。
【図２】本発明のバッテリーパックの一構成例を示す斜視図である。
【図３】ノート型パソコンとバッテリーパックとの連結部分を拡大して示す図である。
【図４】バッテリーパックをノート型パソコンの表示部の背面に取り付ける様子を示す斜視図である。
【図５】バッテリーパックをノート型パソコンに対して折りたたんだ状態を示す側面図である。
【図６】ノート型パソコンにおいて、表示部を本体部に対して開いた状態を示す側面図である。
【図７】バッテリーパックを表示部に大して所定の角度をもって配した状態を示す側面図である。
【図８】支持アームによりバッテリーパックと表示部とを固定した状態を示す側面図である。
【図９】バッテリーパックに通風用の開口部を配した様子を示す斜視図である。
【図１０】バッテリーパックにヒートシンクを配した様子を示す斜視図である。
【図１１】バッテリーパックとノート型パソコンとの他の取り付け方法を示す斜視図である。
【図１２】ノート型パソコンへのバッテリーパックの従来の取り付け方法を示す斜視図である。
【符号の説明】
１  ノート型パソコン、  １ａ  本体部、  １ｂ  表示部１ｂ、  ２  キーボード、３  液晶パネル、  ４  コネクタ、  １０  バッテリーパック、  １１  筐体、  １２  ポリマーバッテリー、  １３  リード線、  １４  回路基板、１５  フレキシブルケーブル、  １６  コネクタ、１７  コネクタ支持部材、  １８  ヒンジアセンブリ、２３  支持アーム、  ２４，２５  開口部、
２６  ヒートシンク
【図１】
2004221036.tif 000003
【図２】
2004221036.tif 000004
【図３】
2004221036.tif 000005
【図４】
2004221036.tif 000006
【図５】
2004221036.tif 000007
【図６】
2004221036.tif 000008
【図７】
2004221036.tif 000009
【図８】
2004221036.tif 000010
【図９】
2004221036.tif 000011
【図１０】
2004221036.tif 000012
【図１１】
2004221036.tif 000013
【図１２】
2004221036.tif 000014